(57)【特許請求の範囲】
【請求項１】
ＡＶ機器に適用する音源処理回路構造であって、
音源センサーユニット、ＯＲ回路ユニット、ＡＮＤ回路ユニットおよびアンプユニットを少なくとも含み、
前記音源センサーユニットは、ＡＶ機器から出力される二つの外部音源信号を受信した後、ハイレベルまたはローレベルな、二つの直流論理レベル信号を提供し、
前記ＯＲ回路ユニットは、受信した前記二つの直流論理レベル信号を論理演算して一つの制御論理信号を提供し、
前記ＡＮＤ回路ユニットは、受信した前記制御論理信号および外部システムミュート信号を論理演算してミュート制御信号を提供し、
前記アンプユニットは、ミュート制御信号を受信した後、アンプユニットがスピーカーユニットに出力することを禁止することを特徴とする、
音源処理回路構造。
【請求項２】
前記音源信号センサーユニットは少なくともキャパシター、信号拡大回路、直流レベル補正回路、充電回路およびスイッチ回路を含むものであり、
前記キャパシターは、前記外部音源信号を受信し、
前記信号拡大回路は、キャパシターを信号連接し、
前記直流レベル補正回路は、信号拡大回路を信号連接し、
前記充電回路は、前記直流レベル補正回路を信号連接し、
前記スイッチ回路は、充電回路を信号連接する請求項１記載の音源処理回路構造。
【請求項３】
前記ＡＶ機器は液晶テレビである請求項１記載の音源処理回路構造。
【請求項４】
前記外部音源信号はＡＶ機器装置の音源信号である請求項１記載の音源処理回路構造。
【請求項５】
前記外部システムミュート信号は前記ＡＶ機器のミュート信号である請求項１記載の音源処理回路構造。
【請求項６】
前記キャパシターは微小信号を提供する請求項２記載の音源処理回路構造。
【請求項７】
前記信号拡大回路は微小信号を受信し微小信号拡大信号を提供する請求項６記載の音源処理回路構造。
【請求項８】
前記直流レベル補正回路は微小信号拡大信号を受信しレベル補正信号を提供する請求項７記載の音源処理回路構造。
【請求項９】
前記充電回路はレベル補正信号を受信し直流論理レベル信号を提供する請求項８記載の音源処理回路構造。
【請求項１０】
前記スイッチ回路は直流論理レベル信号を受信する請求項９記載の音源処理回路構造。
【請求項１１】
ＡＶ機器に適用する音源処理方法であって、少なくとも、
音源信号センサーユニットをＡＶ機器に設置し、
音源信号センサーユニットがＡＶ機器から出力される二つの外部音源信号を受信した後、少なくとも１つのハイレベルまたはローレベルな、二つの直流論理レベル信号を提供し、
ＯＲ回路ユニットをＡＶ機器に設置し、
ＯＲ回路ユニットが受信した前記二つの直流論理レベル信号を論理演算して一つの制御論理信号を提供し、
ＡＮＤ回路ユニットをＡＶ機器に設置し、
ＡＮＤ回路ユニットが受信した前記制御論理信号および外部システムミュート信号を論理演算してミュート制御信号を提供し、
アンプユニットをＡＶ機器に設置し、
アンプユニットがミュート制御信号を受信した後、適時にアンプユニットが音声信号を出力することを禁止する、
上記の工程を含む音源処理方法。
【請求項１２】
前記ＡＶ機器は液晶テレビである請求項１１記載の音源処理方法。
【請求項１３】
前記外部音源信号はＡＶ機器の音源信号である請求項１１記載の音源処理方法。
【請求項１４】
前記外部システムミュート信号はＡＶ機器のミュート信号である請求項１１の音源処理方法。
【発明の詳細な説明】
【技術分野】
【０００１】
本発明は、「音源処理回路構造およびその処理方法に関し、ＡＶ機器に適用するものである。特に、音源処理回路構造に音源信号センサーユニットを増設し、前記ＡＶ機器の音声入出力効率に影響を与えず音源信号の本質を失わないで効果的に雑音を濾過しそのミュート効果を保持する。
【背景技術】
【０００２】
図１を参照すると、図１は、公知の音源処理回路構造を示す図である。図中の音源処理回路構造はローパスフィルターユニット１１、アンプユニット１２およびスピーカーユニット１３を含むものである。ローパスフィルターユニット１１は入力音源信号１１１がノイズである時、ノイズの振幅および周波数を下げることに用いられ、アンプユニット１２は音源信号１１２に信号の拡大を提供するとともにシステムミュート信号１２１を受信することに用いられ、アンプユニット１２は音源拡大信号１２２をスピーカーユニット１３に提供することもできる。
【０００３】
また、図１により詳しく説明すると、入力音源信号１１１は可聴周波数信号またはノイズであり、音源処理回路構造が可聴周波数信号を入力しない時、音源処理回路構造の回路特性の関係により、前記音源処理回路構造の内部は振幅および周波数が極めて小さい微小信号を発生し、この微小信号は、即ちノイズである。ノイズはローパスフィルターユニット１１を通して適度に減衰させた後、アンプユニット１２に出力し、アンプユニット１２が信号を拡大しスピーカー１３に伝送する。上記においてノイズが存在していることは明らかであり、ローパスフィルター１１の処理によりノイズが消去されるわけではない。
【０００４】
図１に説明を加えると、ノイズ制御方式は、音源処理回路構造中のローパスフィルター１１を通してノイズの振幅と周波数を減衰させているが、この方法は音源処理回路構造中に必要な音源信号１１２の出力効率にも影響を及ぼし、音源処理回路構造に対して言えば、出力効率の良い音源信号１１２が非常に重要である。音源処理回路構造内部より発生するノイズまたは音源処理回路構造が正常動作時に発生する可聴周波数信号は、同一のローパスフィルター１１を通して入力音源信号１１１を適度に減衰した後、音源信号１１２をアンプユニット１２に出力するが、この方法は入力音源信号１１１の本質が失われ、アンプユニット１２に入力される音源信号１１２も減衰された可聴周波数信号であり、スピーカーユニット１３も最終的に美しく効率の良い音源信号１１２を出力できず、音源処理回路構造の音質が低下する。
【０００５】
実際に、音源処理回路構造は音量の拡大を要求するとともに、ノイズが確実に存在し、従って、可聴周波数信号が無い時にも、ノイズが動作を継続するアンプユニットを通して、スピーカーユニットへ音量を拡大し出力された後のノイズが聞こえるのである。
【特許文献１】特開２００４−１３５０１６号公報
【発明の開示】
【発明が解決しようとする課題】
【０００６】
本発明は、ＡＶ機器に適用し、音源処理回路構造が従来のアンプユニットおよびスピーカーユニットを含くむものであるだけではなく、前記音源処理回路構造において音源信号センサーユニットを増設した音源処理回路構造およびその処理方法を提供することを目的とする。
【課題を解決するための手段】
【０００７】
音源信号センサーユニットは大部分の音源信号を受信した後、少なくとも１つのハイレベルまたはローレベルの直流論理レベル信号をＯＲ回路ユニットに提供し、ＯＲ回路ユニットは論理信号をＡＮＤ回路ユニットに提供し、ＡＮＤ回路ユニットは論理信号および外部システムミュート制御信号を整合した後、適時ミュート制御信号をアンプユニットに送信し、このようにして、アンプユニットを適切に開閉することにより、音源処理回路構造が発生するノイズがアンプユニットを介さずに出力させる。
【０００８】
上記音源信号センサーユニットは大きく２つの部分に分けられ、１つはセンサー回路であり、もう１つはスイッチ回路である。前記センサー回路はデカップリングキャパシター、信号拡大回路、直流レベル補正回路および充電回路を含むものである。センサー回路はデカップリングキャパシターにより、入力された外部音源信号の直流部分を濾過する。直流部分を濾過した外部音源信号は微小信号拡大の動作を実行した後、微小信号拡大信号を発信する。信号拡大回路の回路特性の影響により、この構造は前記微小信号拡大信号のレベルが偏移し、音源処理回路構造が微小信号拡大信号の動作点を性格に判断できないのである。従って、直流レベル補正回路を利用し動作点の偏移した微小信号拡大信号のレベルを音源処理回路構造にプルバックし動作点を判断することができ、レベル補正信号を発信することができる。その後、充電回路を通してレベル補正信号を異なる直流電圧に変換し、ハイレベルまたはローレベルな直流レベル信号を出力し、次のスイッチ回路にオンまたはオフの動作を達成させる。
【０００９】
すなわち、前記課題を解決するために、請求項１の発明は、ＡＶ機器に適用する音源処理回路構造であって、音源センサーユニット、ＯＲ回路ユニット、ＡＮＤ回路ユニットおよびアンプユニットを少なくとも含み、前記音源センサーユニットは、ＡＶ機器から出力される二つの外部音源信号を受信した後、ハイレベルまたはローレベルな、二つの直流論理レベル信号を提供し、前記ＯＲ回路ユニットは、受信した前記二つの直流論理レベル信号を論理演算して一つの制御論理信号を提供し、前記ＡＮＤ回路ユニットは、受信した前記制御論理信号および外部システムミュート信号を論理演算してミュート制御信号を提供し、前記アンプユニットは、ミュート制御信号を受信した後、アンプユニットがスピーカーユニットに出力することを禁止することを特徴とする、音源処理回路構造である。
【００１０】
請求項２の発明は、前記音源信号センサーユニットは少なくともキャパシター、信号拡大回路、直流レベル補正回路、充電回路およびスイッチ回路を含むものであり、
前記キャパシターは、前記外部音源信号を受信し、前記信号拡大回路は、キャパシターを信号連接し、前記直流レベル補正回路は、信号拡大回路を信号連接し、
前記充電回路は、前記直流レベル補正回路を信号連接し、前記スイッチ回路は、充電回路を信号連接する請求項１記載の音源処理回路構造である。
請求項３の発明は、前記ＡＶ機器は液晶テレビである請求項１記載の音源処理回路構造である。
請求項４の発明は、前記外部音源信号はＡＶ機器装置の音源信号である請求項１記載の音源処理回路構造である。
請求項５の発明は、前記外部システムミュート信号は前記ＡＶ機器のミュート信号である請求項１記載の音源処理回路構造である。
【００１１】
請求項６の発明は、前記キャパシターは微小信号を提供する請求項２記載の音源処理回路構造である。
請求項７の発明は、前記信号拡大回路は微小信号を受信し微小信号拡大信号を提供する請求項６記載の音源処理回路構造である。
請求項８の発明は、前記直流レベル補正回路は微小信号拡大信号を受信しレベル補正信号を提供する請求項７記載の音源処理回路構造である。
請求項９の発明は、前記充電回路はレベル補正信号を受信し直流論理レベル信号を提供する請求項８記載の音源処理回路構造である。
請求項１０の発明は、前記スイッチ回路は直流論理レベル信号を受信する請求項９記載の音源処理回路構造である。
【００１２】
請求項１１の発明は、ＡＶ機器に適用する音源処理方法であって、少なくとも、音源信号センサーユニットをＡＶ機器に設置し、音源信号センサーユニットがＡＶ機器から出力される二つの外部音源信号を受信した後、少なくとも１つのハイレベルまたはローレベルな、二つの直流論理レベル信号を提供し、ＯＲ回路ユニットをＡＶ機器に設置し、ＯＲ回路ユニットが受信した前記二つの直流論理レベル信号を論理演算して一つの制御論理信号を提供し、ＡＮＤ回路ユニットをＡＶ機器に設置し、ＡＮＤ回路ユニットが受信した前記制御論理信号および外部システムミュート信号を論理演算してミュート制御信号を提供し、アンプユニットをＡＶ機器に設置し、アンプユニットがミュート制御信号を受信した後、適時にアンプユニットが音声信号を出力することを禁止する、上記の工程を含む音源処理方法である。
請求項１２の発明は、前記ＡＶ機器は液晶テレビである請求項１１記載の音源処理方法である。
請求項１３の発明は、前記外部音源信号はＡＶ機器の音源信号である請求項１１記載の音源処理方法である。
請求項１４の発明は、前記外部システムミュート信号はＡＶ機器のミュート信号である請求項１１の音源処理方法である。
【発明の効果】
【００１３】
上記音源信号センサーユニットの回路動作特性から分かるように、可聴周波数信号が入力する時、センサー回路は比較的高い振幅および周波数の入力信号を得ることができ、次の工程のスイッチ回路にハイレベルな直流論理レベル信号を出力させる。それに対して、ノイズが入力する時、センサー回路は比較的低い振幅および周波数の入力信号を得ることができ、次の工程のスイッチ回路にローレベルな直流論理レベル信号を出力させる。これにより分かるように、音源信号センサーユニットが出力するハイレベルな直流論理レベル信号は可聴周波数の入力を意味し、音源信号センサーユニットが出力するローレベルな直流論理レベル信号はノイズの入力を意味する。前記ハイレベルまたはローレベルな直流論理レベル信号は次の工程のＯＲ論理回路ユニットとＡＮＤ論理回路ユニットおよび音源処理回路構造中の外部システムミュート信号に適切な論理処理を行わせるとともに、アンプユニットにミュート信号を適時に受信させる。前記ミュート制御信号はアンプユニットに適切な開閉をさせることができ、ノイズが発生する時、アンプユニットがオフとなり、このような効果的な管理によりスピーカーユニットが可聴周波数信号の入力がない時に、ノイズも併せて排除するように改善する。
【発明を実施するための最良の形態】
【００１４】
図２を参照すると、図２は本発明の音源処理回路構造を示す図である。音源処理回路構造は従来のアンプユニット１２およびスピーカーユニット１３を含む以外に、前記音源処理回路構造中に音源信号センサーユニット２１、ＯＲ回路ユニット２２およびＡＮＤ回路ユニット２３を増設する。音源信号センサーユニット２１は音源信号２１１、２１２を受信し、前記音源信号２１１、２１２が可聴周波数信号であるかノイズであるかを明らかにする。また、音源信号２１１、２１２を音源信号センサーユニット２１に介して処理した後、音源センサー信号２１３、２１４を次の工程のＯＲ回路ユニット２２に提供する。音源センサー信号２１３、２１４はＯＲ回路ユニット２２を通して論理処理をした後、トータル音源センサー信号２２１を整合し次の工程のＡＮＤ回路ユニット２３に提供する。トータル音源センサー信号２２１および音源処理回路構造中のシステムミュート信号１２１の両者を整合しＡＮＤ回路ユニットに送り論理処理した後、ミュート制御信号２３１をアンプユニット１２に提供する。従って、アンプユニット１２はミュート制御信号２３１により適時にオンオフを行い、音源信号２１１、２１２が雑音である時、アンプユニットはオフとなり、音源拡大信号１２２をスピーカーユニット１３に出力することを停止し、音源信号２１１、２１２が可聴周波数信号である時、アンプユニットはオンとし、音源拡大信号１２２をスピーカーユニット１３に出力する。
【００１５】
図３を参照すると、図３は、本発明の音源信号センサーユニットを示す図である。前記音源信号センサーユニット２１は２組のセンサー回路３６およびスイッチ回路３５を含むものである。前記センサー回路３６はデカップリングキャパシター３１、信号拡大回路３２、直流レベル補正回路３３および充電回路３４を含むものである。音源信号センサーユニット２１は音源信号２１１および２１２を受信した後、音源信号センサーユニット２１が送信するハイレベルな直流論理レベル信号により可聴信号を示し、音源信号センサーユニット２１が送信するローレベルな直流論理レベル信号によりノイズを示す。上記のように、音源信号センサーユニット２１は音源センサー信号２１３および２１４を次の工程に伝送する。
【００１６】
図４を参照すると、図４は、本発明のセンサー回路を示す図である。図４の回路構造はセンサー回路３６の機能を実現することができ、センサー回路３６は２つのバイポーラトランジスター４６５および４６７、２つのＰＮ接合ダイオード４７０および４７１、４つのカーボンレジスター４６３，４６４，４６６および４６８、４つのキャパシター４６１，４６２，４６９および４７２を含むものである。
図４中、センサー回路３６は音源信号２１１および２１２を受信した後、信号計測点４１にて、キャパシター４６１を通して直流部分を濾過することにより微小信号を計測可能とする。
直流部分を濾過した外部音源信号は、信号計測点４２にて、トランジスター４６５を通して拡大することにより、微小信号を拡大して計測することができる。ただし、信号拡大回路の回路特性の影響により、微小信号拡大信号のレベルが偏移し、音源処理回路構造が微小信号拡大信号の動作点を性格に判断できない。
そこで、信号計測点４３にて、トランジスター４６７を通して電圧偏移を帰還し、レベルが偏移した微小信号拡大信号を計測することができる。
そして、信号計測点４４において、キャパシター４６９を通して調整することにより、レベル補正信号を発信することができ、レベル補正信号を計測することができる。
信号計測点４５において、ダイオード４７０、ダイオード４７１およびキャパシター４７２の充電回路を通してレベル補正信号を異なる直流電圧に変換し、ハイレベルまたはローレベルな直流論理レベル信号として計測することができる。センサー回路３６は前記直流論理レベル信号を次のスイッチ回路３５の工程へ提供する。
【００１７】
図５を参照すると、図５は、本発明のスイッチ回路を示す図である。図５の回路構造はスイッチ回路３５の機能を実現し、スイッチ回路３５は２つのバイポーラトランジスター、４つのカーボンレジスターを含むものである。図５中、スイッチ回路３５は比較的ハイレベルな直流論理レベル信号３６１を受信する時、スイッチ回路３５は音源センサー信号２１３、２１４をハイレベルな直流論理レベル信号に拡大するように引き伸ばす。反対に、スイッチ回路３５が比較的ローレベルな直流論理レベル信号３６１を受信した時、スイッチ回路は音源センサー信号２１３，２１４をローレベル直流論理レベル信号に圧縮するように引き伸ばす。
【００１８】
図６を参照すると、図６は、本発明の音源処理回路を示す図である。図６は、図１の音源処理回路構造を完全に実現する。音源信号２１１，２１２を音源信号センサーユニット２１に通して処理した後、音源センサー信号２１３，２１４を次の工程のＯＲ回路ユニット２２に提供する。音源センサー信号２１３，２１４はＯＲ回路ユニット２２を経由し論理処理した後、トータル音源センサー信号２２１を整合し次の工程のＡＮＤ回路ユニット２３に提供する。音源センサー信号２２１および音源処理回路構造中のシステムミュート信号１２１をＡＮＤ回路ユニット２３に送り論理処理した後、ミュート制御信号２３１をアンプユニット１２に提供する。
従って、アンプユニット１２はミュート制御信号２３１を通して適切にオンおよびオフを行い、音源信号２１１，２１２が雑音である時、アンプユニット１２はオフとなり、アンプユニット１２が音源拡大信号１２２をスピーカーユニット１３に出力することを停止し、音源信号２１１，２１２が可聴周波数信号である時、アンプユニット１２はオンとし、アンプユニット１２は音源拡大信号１２２をスピーカーユニット１３に出力する。音源センサーユニット２１は２組のセンサー回路３６およびスイッチ回路３５を含むものである。
スイッチ回路３５は比較的ハイレベルな直流論理レベル信号３６１を受信する時、スイッチ回路３５は音源センサー信号２１３、２１４をハイレベルな直流論理レベル信号に引き伸ばす。反対に、スイッチ回路３５が比較的ローレベルな直流論理レベル信号３６１を受信した時、スイッチ回路は音源センサー信号２１３，２１４をローレベル直流論理レベル信号に引き伸ばす。こうして、直流論理レベル信号３６１はハイレベルな直流論理レベル信号を得るには０.７ボルトだけを必要とし、それ以下の場合は音源センサー信号２１３，２１４の出力は０ボルトであり、従って、音源信号センサーユニット２１は可聴周波数信号か雑音かを効果的に判断することができ、適切な制御を行うことができる。
【００１９】
図７を参照すると、図７は本発明の音源処理方法をＡＶ機器に適用するＳ７１〜Ｓ７８の工程を行う手順であるフロー図である。
Ｓ(ステップ)７１にて音源信号センサーユニットをＡＶ機器に適用すべく設置し、次に、Ｓ(ステップ)７２にて前記音源信号センサーユニットが外部音源信号を受信した後、少なくとも１つのハイレベルまたはローレベルの直流論理レベル信号を提供し、次に、Ｓ(ステップ)７３にてＯＲ回路ユニットをＡＶ機器が作動すべく設置し、Ｓ(ステップ)７４にて前記ＯＲ回路ユニットがハイレベルまたはローレベルの直流論理レベル信号を受信した後、論理信号を提供する。次に、Ｓ(ステップ)７５にてＡＮＤ回路ユニットをＡＶ機器が作動すべく設置し、次に、Ｓ(ステップ)７６にて前記ＡＮＤ回路ユニットが前記論理信号を受信し外部システムミュート信号を受信した後、ミュート制御信号を提供する。
Ｓ(ステップ)７７にてアンプユニットをＡＶ機器が作動すべく設置し、Ｓ(ステップ)７８にてアンプユニットがミュート制御信号を受信した後、適時にアンプユニットが音声信号を出力することを禁止する。
【００２０】
このように、本実施例では、音源信号センサーユニットの回路動作特性から分かるように、可聴周波数信号が入力する時、センサー回路は比較的高い振幅および周波数の入力信号を得ることができ、次の工程のスイッチ回路にハイレベルな直流論理レベル信号を出力し、それに対して、ノイズが入力する時、センサー回路は比較的低い振幅および周波数の入力信号を得ることができ、次の工程のスイッチ回路にローレベルな直流論理レベル信号を出力する。この場合に、音源信号センサーユニットが出力するハイレベルな直流論理レベル信号は可聴周波数の入力を意味し、音源信号センサーユニットが出力するローレベルな直流論理レベル信号はノイズの入力を意味することになる。
そして、ハイレベルまたはローレベルな直流論理レベル信号は次の工程のＯＲ論理回路ユニットとＡＮＤ論理回路ユニットおよび音源処理回路構造中の外部システムミュート信号に適切な論理処理を行わせるとともに、アンプユニットにミュート信号を適時に受信させ、ミュート制御信号はアンプユニットに適切な開閉をさせることができ、ノイズが発生する時、アンプユニットがオフとなり、このような効果的な管理によりスピーカーユニットが可聴周波数信号の入力がない時に、ノイズも併せて排除することができる。
なお、本発明では好ましい実施例を前述の通り開示したが、これらは決して本発明に限定するものではなく、当該技術を熟知する者なら誰でも、本発明の精神と領域を脱しない範囲内で各種の変動や潤色を加えることができる。
【図面の簡単な説明】
【００２１】
【図１】公知の音源処理回路構造を示す図である。
【図２】本発明の音源処理回路構造を示す図である。
【図３】本発明の音源信号センサーユニットの構造を示す図である。
【図４】本発明のセンサー回路を示す図である。
【図５】本発明のスイッチ回路を示す図である。
【図６】本発明の音源処理回路を示す図である。
【図７】本発明の音源処理方法のフロー図である。
【符号の説明】
【００２２】
１１ ローパスフィルター
１１１ 入力音源信号
１１２ 音源信号
１２ アンプユニット
１２１ システムミュート信号
１２２ 音源拡大信号
１３ スピーカーユニット
２１ 音源信号センサーユニット
２１１ 音源信号
２１２ 音源信号
２１３ 音源センサー信号
２１４ 音源センサー信号
２２ ＯＲ回路ユニット
２２１ トータル音源センサー信号
２３ ＡＮＤ回路ユニット
２３１ ミュート制御信号
３１デカップリングキャパシター
３２ 信号拡大回路
３３ 直流レベル補正回路
３４ 充電回路
３５ スイッチ回路
３６ センサー回路
３６１ 直流論理レベル信号
４１ 信号計測点
４２ 信号計測点
４３ 信号計測点
４４ 信号計測点
４５ 信号計測点
４６１ キャパシター
４６２ キャパシター
４６３ カーボンレジスター
４６４ カーボンレジスター
４６５ (バイポーラ)トランジスター
４６６ カーボンレジスター
４６７ (バイポーラ)トランジスター
４６８ カーボンレジスター
４６９ キャパシター
４７０ ダイオード
４７１ ダイオード
４７２ キャパシター
Ｓ７１〜Ｓ７２ 音源処理方法のフロー
Ｓ７１  音源信号センサーユニットをＡＶ機器に設置する工程
Ｓ７２  音源信号センサーユニットが外部音源信号を受信した後、少なくとも１つのハイレベルまたはローレベルの直流論理レベル信号を提供する工程
Ｓ７３  ＯＲ回路ユニットをＡＶ機器に設置する工程
Ｓ７４  ＯＲ回路ユニットがハイレベルまたはローレベルの直流論理レベル信号を受信した後、論理信号を提供する工程
Ｓ７５  ＡＮＤ回路ユニットをＡＶ機器に設置する工程
Ｓ７６  ＡＮＤ回路ユニットが前記論理信号を受信し外部システムミュート信号を受信した後、ミュート制御信号を提供する工程
Ｓ７７  アンプユニットをＡＶ機器に設置する工程
Ｓ７８  アンプユニットがミュート制御信号を受信した後、適時にアンプユニットが音声信号を出力することを禁止する工程
【図１】
0004490952.tif 000002
【図２】
0004490952.tif 000003
【図３】
0004490952.tif 000004
【図４】
0004490952.tif 000005
【図５】
0004490952.tif 000006
【図６】
0004490952.tif 000007
【図７】
0004490952.tif 000008